(57)【要約】【課題】半田付けせずにバックライトユニットのランプを固定させ電気的に連結して、作業性を改善させると共に費用を節減することができ、環境に優しい製品の開発に寄与することができるバックライトユニットを提供する。【解決手段】本願発明のバックライトユニットは、管の外部の両端に電極を有して一定の間隔を持って配列された複数の発光ランプと、前記発光ランプの両端を固定するためにグリッパー型で形成された共通電極と、前記共通電極を安着するために前記発光ランプの両端下部へ一方向に形成された第１及び第２下部器具物と、前記共通電極を前記第１及び第２下部器具物に固定するための複数のスクリューと、インバーターに連結されたワイヤと、前記共通電極をインバーターに連結されたワイヤと連結するために前記スクリューを包むように形成された円形電極とで構成される。【選択図】      図５
2005197246.tif 000002
【特許請求の範囲】
【請求項１】
管の外部表面に沿って配置される電極を有する複数のランプと、
前記ランプの端部を拘束するためのグリッパー型共通電極と、
前記グリッパー型共通電極を結合するように前記ランプの両端部の近くに配置された第１フレーム及び第２フレームと、
バイアシング動作を通じて前記第１及び第２フレームに前記グリッパー型共通電極とランプとを結合するファスナーを含むことを特徴とするバックライトユニット。
【請求項２】
前記バイアシング動作は回転動作を含むことを特徴とする請求項１に記載のバックライトユニット。
【請求項３】
前記ファスナーは半田付けしていないファスナーであることを特徴とする請求項１に記載のバックライトユニット。
【請求項４】
前記グリッパー型共通電極は、
前記ランプの両端で前記電極を拘束する、それぞれ互いに離隔した複数の拘束部と、
前記複数の拘束部を連結するために前記拘束部の両端に配置された第１共通電極ライン及び第２共通電極ラインとを含むことを特徴とする請求項１に記載のバックライトユニット。
【請求項５】
前記グリッパー型共通電極は、前記第１共通電極ライン又は第２共通電極ラインのうち、少なくとも一つのエッジに配置されるストッパーを更に含むことを特徴とする請求項４に記載のバックライトユニット。
【請求項６】
前記複数の拘束部は前記ランプの周辺の表面を取り囲むことを特徴とするバックライトユニット。
【請求項７】
前記複数の拘束部は前記拘束部の幅に沿ってパスする複数のスロットによって分けられることを特徴とする請求項４に記載のバックライトユニット。
【請求項８】
前記ストッパーは第１共通電極ライン又は第２共通電極ラインのエッジに配置された実質的な垂直面であることを特徴とする請求項４に記載のバックライトユニット。
【請求項９】
前記第２共通電極ラインは第１共通電極ラインから離れて配置されることを特徴とする 請求項４に記載のバックライトユニット。
【請求項１０】
前記ランプから受けた光を散乱させる光散乱手段を更に含むことを特徴とする請求項１に記載のバックライトユニット。
【請求項１１】
前記光散乱手段は拡散シートであることを特徴とする請求項１０に記載のバックライトユニット。
【請求項１２】
前記光散乱手段は拡散板であることを特徴とする請求項１０に記載のバックライトユニット。
【請求項１３】
前記ファスナーは除去が可能なスクリューであることを特徴とする請求項１に記載のバックライトユニット。
【請求項１４】
電圧が印加された前記グリッパー型共通電極を貫くコンダクターと、
前記コンダクターに前記グリッパー型共通電極を連結するために前記ファスナーを取り囲む周辺電極とを含むことを特徴とする請求項１に記載のバックライトユニット。
【請求項１５】
前記周辺電極は円形であることを特徴とする請求項１４に記載バックライトユニット。
【請求項１６】
複数のランプと、
フレームと、
前記ランプの先端部を拘束するグリッピング手段と、
前記フレームに前記ランプ及びグリッピング手段を固定させ、バイアシング力によって前記グリッピング手段にランプを固定させる複数のファスナーとを含むことを特徴とするバックライトユニット。
【請求項１７】
前記複数のファスナーは複数の半田付けしていないファスナーであることを特徴とする請求項１６に記載のバックライトユニット。
【請求項１８】
前記グリッピング手段は前記複数のランプの形状による摩擦ロッキング手段であることを特徴とする請求項１６に記載のバックライトユニット。
【請求項１９】
前記複数のファスナーは螺旋形のスレッドが刻まれた複数のロッドであることを特徴とする請求項１８に記載のバックライトユニット。
【請求項２０】
前記複数のファスナーは前記スレッドが刻まれた複数のピンであることを特徴とする請求項１８に記載のバックライトユニット。
【請求項２１】
前記グリッピング手段は複数のアーク型の柔軟手段であることを特徴とする請求項１６に記載のバックライトユニット。
【請求項２２】
前記グリッピング手段は前記ランプのそれぞれに側面の動きを最小化する複数のストッパーを更に含むことを特徴とする請求項２１に記載のバックライトユニット。
【請求項２３】
前記複数のアーク型柔軟手段は２つ又はそれ以上のスロットによって分けられることを特徴とする請求項２２に記載のバックライトユニット。
【請求項２４】
前記複数のアーク型柔軟手段は複数のフレアリング部分に連結される複数の凹部を含むことを特徴とする請求項２３に記載のバックライトユニット。
【請求項２５】
前記複数のアーク型柔軟手段のうちの一つは回路部から所定の距離にあるランプを支持することを特徴とする請求項２４に記載のバックライトユニット。
【請求項２６】
前記グリッピング手段は回路部から所定の距離にある複数のランプを支持することを特徴とする請求項１６に記載のバックライトユニット。
【請求項２７】
前記グリッピング手段はそれぞれのランプの動きを最小化するように複数のストッパーを含むことを特徴とする請求項１６に記載のバックライトユニット。
【請求項２８】
前記ランプは直下型に配列されることを特徴とする請求項２７に記載のバックライトユニット。
【請求項２９】
管外部の両端に電極を有して一定の間隔を持って配列された複数の発光ランプと、
前記それぞれの発光ランプの両端を固定させるためにグリッパー型に形成された複数のグリッパー型電極と、  
前記複数のグリッパー型電極を安着するために前記発光ランプの両端下部へ一方向に形成された第１及び第２下部器具物と、
バイアシング動作によって前記ランプと前記グリッパー型電極を前記第１及び第２下部器具物に固定させる複数のファスナーとを含んで成ることを特徴とするバックライトユニット。
【請求項３０】
前記バイアシング動作は回転動作を含むことを特徴とする請求項２９に記載のバックライトユニット。
【請求項３１】
前記ファスナーは半田付けしていないファスナーであることを特徴とする請求項２９に記載のバックライトユニット。
【請求項３２】
前記複数のグリッパー型電極は
前記ランプの両端に前記電極を拘束する、それぞれ離隔した複数の拘束部と、
前記複数の拘束部を連結するために拘束部の両端に配置された第１電極ライン及び第２電極ラインとを含むことを特徴とする請求項２９に記載のバックライトユニット。
【請求項３３】
前記複数のグリッパー型電極は前記第１電極ライン又は第２電極ラインのうち少なくとも一つのエッジに配置されたストッパーを更に含むことを特徴とする請求項３２に記載のバックライトユニット。
【請求項３４】
前記複数の拘束部はランプの周辺部を取り囲むことを特徴とする請求項３２に記載の バックライトユニット。
【請求項３５】
前記複数の拘束部は拘束部の幅に沿ってパスする複数のスロットによって分けられることを特徴とする請求項３２に記載のバックライトユニット。
【請求項３６】
前記ストッパーは第１電極ライン又は第２電極ラインのエッジ部に配置される実質的な垂直面であることを特徴とする請求項３２に記載のバックライトユニット。
【請求項３７】
前記第２共通電極ラインは第１共通電極ラインから離れて配置されることを特徴とする 請求項３２に記載のバックライトユニット。
【請求項３８】
前記ランプから受けた光を散乱させる光散乱手段を更に含むことを特徴とする請求項２９に記載のバックライトユニット。
【請求項３９】
前記光散乱手段は拡散シートであることを特徴とする請求項３８に記載のバックライトユニット。
【請求項４０】
前記光散乱手段は拡散板であることを特徴とする請求項３８に記載のバックライトユニット。
【請求項４１】
前記ファスナーは除去が可能なスクリューであることを特徴とする請求項２９に記載 のバックライトユニット。
【請求項４２】
電圧が印加された前記グリッパー型共通電極を貫くコンダクターと、
前記コンダクターに前記グリッパー型共通電極を連結するためのファスナーを取り囲む周辺電極とを含むことを特徴とする請求項２９に記載のバックライトユニット。
【請求項４３】
前記周辺電極は円形であることを特徴とする請求項４２に記載のバックライトユニット。
【請求項４４】
除去が可能なグリッパーのフランジでシリンダー型ランプを配列させる段階と、
拘束部のフレアリング部を経て前記シリンダー型ランプをスライディングさせる段階と、
前記拘束部の凹部にランプを押して前記拘束部にランプを安着させる段階とを含むことを特徴とするバックライトディスプレイの組立方法。
【請求項４５】
グリッパーの拘束部にランプを配列させる段階と、
前記グリッパーのフレアリング部を経てランプをスライディングさせる段階と、
前記拘束部で前記ランプを押すことによってランプを安着させる段階とを含むことを特徴とするバックライトディスプレイの組立方法。
【請求項４６】
タクタイルフィードバックが感知されるまで前記ランプを安着させることを特徴とする請求項４５に記載のバックライトディスプレイの組立方法。
【発明の詳細な説明】
【技術分野】
【０００１】
本発明はバックライトユニットに関し、特に半田づけせずに発光ランプに安定的に電極を印加することのできる共通電極が備えられたバックライトユニットに関するものである。
【背景技術】
【０００２】
一般的に使用されている表示装置のうち、一つのＣＲＴ(Cathode Ray Tube)は、ＴＶを始めて計測器機、情報端末器機などのモニターに主に利用されているが、ＣＲＴ自体の重さと大きさによって電子製品の小型化、軽量化の要求に積極的に対応できなかった。 
【０００３】
したがって各種の電子製品の小型、軽量化の流れでＣＲＴは重さや大きさなどにおいて一定の限界を有しており、これを代替することに予想されるものとして、電界光学的な効果を利用した液晶表示装置(ＬＣＤ)、ガス放電を利用したプラズマ表示素子(ＰＤＰ)及び電界発光効果を利用したＥＬ表示素子(ＥＬＤ)などがあり、その中で液晶表示素子に対する研究が活発に進められている
【０００４】
このようなＣＲＴを代替するために小型、軽量化及び低消費全力などの長所を有する液晶表示装置が活発に開発されて来ており、最近では平板表示装置としての役割を充分に遂行することができるほどに開発されて、ラップトップ型コンピュータのモニタばかりではなく、デスクトップ型コンピューターのモニター及び大型情報表示装置などに使用されていて、液晶表示装置の需要は継続的に増加している実状である。
【０００５】
このような液晶表示装置の大部分は外部から入る光の量を調節して画像を表示する受光性装置であるため、ＬＣＤパネルに光を照射するための別途の光源、つまりバックライトユニットが必ず必要である。 
【０００６】
一般的に、液晶表示装置の光源に使用されるバックライトユニットは、円筒状の発光ランプを配置する方式として、エッジ方式と直下方式とに区分される。 
このうちエッジ方式は、光を案内する導光板の側面にランプユニットが設置されるものとして、ランプユニットは光を発散するランプ、ランプの両端に挿入されてランプを保護するランプホルダー及びランプの外周面を包み、一方面が導光板の側面に挟まれてランプで発散した光を導光板の方に反射させるランプ反射板を具備する。
【０００７】
このように導光板の側面にランプユニットが設置されるエッジ方式は、主にラップトップ型コンピューター及びデスクトップ型コンピューターのモニターのように比較的大きさの小さい液晶表示装置に適用されるもので、光の均一性に優れ、耐久寿命が長く、液晶表示装置の薄型化に有利である。
【０００８】
一方、直下方式は、液晶表示装置の大きさが２０インチ以上に大型化され始めてから重点的に開発し始めたもので、拡散板の下部面に複数のランプを一列に配列させてＬＣＤパネルの全面に光を直接照光するものである。このような直下方式はエッジ方式に比べて光の利用効率が高いため、高輝度を要求する大画面液晶表示装置に主に使用される。
【０００９】
しかし、直下方式が採択された液晶表示装置の場合は大型モニタやテレビなどに使われ、ラップトップ型コンピュータに比べて使用時間が長くなり、ランプの数も多いため、エッジ方式の液晶表示装置より直下方式の液晶表示装置でランプの故障、及び寿命が終わって点灯しないランプが出てくる可能性が更に増えた。
【００１０】
即ち、ランプの寿命及び故障によって、例えば一つのランプが点灯しない場合、ランプが点灯していない部分が他の部分より顕著に暗くなるので、ランプが点灯しない部分が画面上に直ぐに現われるようになる。これに対比されるエッジ方式は、導光板が不均一な輝度を償うことができるため、ランプの寿命及び故障によって、例えば一つのランプが点灯しない場合、画面上の輝度だけが低下するだけで外には無理はない。 
【００１１】
これにより、直下方式の液晶表示装置ではランプの交替が頻繁に行われるので、直下方式の液晶表示装置はランプユニットを分解して組立てるのに容易な構造を有さなければならない。このような組立及び分解構造は、金属性部分同士で一緒に連結する可溶性錫及びリード合金を用いた半田付けのような工程を含む。
【００１２】
以下、従来技術に係る直下方式のバックライトユニットを添付の図面を参照にして説明する。
図１は従来技術に係る直下方式のバックライトユニットの斜視図で、図２は従来技術に係る直下方式のバックライトユニットで発光ランプに電極を印加する部分構造図である。
【００１３】
従来技術に係る直下方式のバックライトユニットは、図１及び図２に示したように、管の内部の両端に電極２が形成された多数の発光ランプ１と、前記発光ランプ１の長さに合わせて所定の間隔を置いて配置され、一面に前記多数の発光ランプ１の両端を収容することができる多数のホームが形成された下部器具物３と、前記下部器具物３上に形成された下面反射板４と、下部器具物３と共に前記発光ランプを固定及び支持するように２つの発光ランプ１を一対にしてその先端に締結させる複数のランプホルダー５と、前記ランプホルダー５を固定するように発光ランプ１の両端のエッジに沿って形成された上部器具物６とを含んで構成されている。 
【００１４】
この時前記発光ランプ１は、図２に示したように、冷陰極管ランプ(Cold Cathode Fluorescent Lamp :ＣＣＦＬ)として、管の内部の両端に構成された電極２と、管の内部の電極２に電圧を印加するためのインナーリード線７と、インナーリード線７と接続して外部で電圧を印加するアウトリード線(図示せず)とで構成されている。
【００１５】
この時、インナーリード線７とアウトリード線は可溶性錫及びリード合金などの半田付け９によって電気的に連結されている。そして、前記アウトリード線は下部器具物３の背面に具備されたインバーター(図示せず)に繋がれたワイヤー１０と収縮チューブ１１とで固定/連結されている。 
【００１６】
しかし、前記構成を有するバックライトユニットで発光ランプ１に駆動電圧を印加するためにインナーリード線７とアウトリード線を半田付け９して接続させるが、モジュール作業工程で収縮チューブ１１の挿入、運搬、作業者ハンドリングのような外力(特に、ベンディング力）が加えられる時、インナーリード線７とアウトリード線との連結された部分(半田付け９された部分)が最もストレスを沢山受ける。このようなストレスによって半田付けされた部分が離れてリード線が断線される問題が発生する。
【００１７】
このようにリード線が断線されれば、点灯不良、スパーク発生のような多様な不良現象が発生する。よって、インナーリード線７とアウトリード線を半田付けして接続する従来技術は限界がある。
【００１８】
一方、図３は従来の他の技術に係る直下方式バックライトユニットの斜視図で、図４は従来の他の技術に係る直下方式バックライトユニットで発光ランプに電極を印加する部分構造図である。 
【００１９】
従来の他の技術に係るバックライトユニットは、図３及び図４に示したように、複数の発光ランプ３１と、前記発光ランプ３１を固定させて支持する外郭ケース３３と、前記発光ランプ３１と液晶パネル(図示せず)の間に配置された光散乱手段３５ａ、３５ｂ、３５ｃとで構成されている。
【００２０】
前記光散乱手段３５ａ、３５ｂ、３５ｃは発光ランプの形象が液晶パネルの表示面に現われることを防止して全体的に均一な明るさの分布を有する光源を提供するためのもので、光散乱効果を増進させるために液晶パネルとの間に多数の拡散シート及び拡散プレートなどが配置される。
【００２１】
前記外郭ケース３３の内面には発光ランプ３１で発生した光が液晶パネルの表示部に集中的に照射することができるように反射板３７が配置されており、これは光の利用効率を極大化するためである。
【００２２】
前記発光ランプは冷陰極管ランプとして、管の内部の両端に電極３２が配置され前記電極３２に電源が印加されると発光し、前記発光ランプ３１の両端は外郭ケース３３の両面に形成されたホールに挟まれている。 
【００２３】
前記発光ランプ３１の両方の電極３２にはランプ駆動のための電源を伝達する電源引入線３９、３９ａが連結され、前記電源引入線３９、３９ａは別途のコネクターに連結されて駆動回路と接続される。よって、各発光ランプごとに別途のコネクターが必要である。
即ち、発光ランプの一方の電極に連結された電源引入線３９と、他方の電極に連結された電源引入線３９ａとが一つのコネクターに連結され、電源引入線３９、３９ａのうち一つは外郭ケース３３の下部に曲がってコネクターと連結される。
【００２４】
この時、外郭ケース３３のホールを通じて出てきた電源引入線３９、３９ａは半田付け４０をして外郭ケース３３に固定されている。この時外郭ケースは印刷回路基板(ＰＣＢ)として、半田付け４０によって発光ランプ３１に電気的な信号を印加できるようになっている。
しかし、従来の他の技術に係るバックライトユニットも電源引入線３９、３９ａを半田付け４０して外郭ケース３３に固定する構造を維持することが難しいという問題がある。
【発明の開示】
【発明が解決しようとする課題】
【００２５】
本発明は上記のような問題点を解決するためのもので、その目的は、半田付けせずにバックライトユニットのランプを固定させ電気的に連結して、作業性を改善させると共に費用を節減することができるバックライトユニットを提供することにある。
本発明の他の目的は、環境に優しい製品の開発に寄与することができるバックライトユニットを提供することにある。
【課題を解決するための手段】
【００２６】
上記目的を達成するための本発明のバックライトユニットは、複数のランプ、グリッピング手段、及び除去が可能なファスナーを含む。前記グリッピング手段はランプの両端に連結される。前記除去が可能なファスナーは、前記ランプとグリッピング手段を前記バックライトユニットのフレーム(器具物)に固定させる。
【００２７】
また、本発明のバックライトディスプレイの組立方法は、除去が可能なグリッパーにシリンダー型ランプを配列させる段階と、拘束部のフレアリング部を経てランプをスライディングさせる段階、及び前記拘束部の凹部にランプを押すことにより前記拘束部にランプを安着させる段階とを含んで成ることを特徴とする。
【発明の効果】
【００２８】
本発明のバックライトユニットには次のような効果がある。
第一に、共通電極にグリッパー型の締結部が具備されており、ここに発光ランプを挿入して固定するため、発光ランプと共通電極を半田付けせずに構造的な構成と電気的に連結することができる。 
これによってバックライトユニットの作業性及び費用を節減することができる。 
【００２９】
第二に、共通電極とインバーターに連結されたワイヤーもスクリュー及び円形電極を用いて半田付けをしないで連結することができる。 
これにより、環境規制物質の鉛を使用する必要がなく、環境に優しい製品の開発が可能である。
【発明を実施するための最良の形態】
【００３０】
以下、添付の図面を参照にして本発明の望ましい実施例によるバックライトユニットについて説明する。 
【００３１】
除去が可能な固定手段は、組立及びバックライトディスプレイの動作を向上させる。固定手段は機械的に締めることができ、電気的にランプを連結することができる装置を含むことができる。固定手段は部分的にランプの外部に位置する一つ又はそれ以上の摩擦ロッキング手段を含む。前記摩擦ロッキング手段は、前記ランプの電極の複数部に動くことができる電気的な連結部を持つランプを提供することにより表示装置の耐久性を向上させることができる。
【００３２】
図５は本発明の実施例によるバックライトユニットの斜視図で、図６ａと図６ｂは図５の‘Ａ'と'Ｂ'部分の拡大斜視図で、図７は本発明の一実施例によるバックライトユニットに適用された共通電極の部分斜視図である。 
【００３３】
本発明の実施例によるバックライトユニットは、図５、図６ａ、図６ｂと図７に示したように、反射板(図示せず)上に所定の間隔離隔した複数のランプ５１を含む。前記それぞれのランプ５１は前記ランプ管の両端から延長した電極５０ａ、５０ｂを有する。
【００３４】
図７に示したように、グリッパー型の共通電極が前記ランプ５１を拘束する間、前記電極５０ａ、５０ｂにパワーを印加する。第１、第２下部器具物５４ａ、５４ｂはファスナー５５（図６Ａ及び６Ｂではスクリューに図示)によって機械的に前記共通電極５３を連結する。コンダクター５６は共通電極５３にインバーター(図示せず)を連結する。前記コンダクター５６は前記共通電極５３に電圧を供給する。
【００３５】
図７によれば、前記共通電極５３は複数の離隔した拘束部５８を含む。アーク型柔軟手段は、前記ランプ５１の両端に電気的に前記電極５０ａ、５０ｂを連結する拘束部５８を含み、下部の回路部から分離される。前記第２共通電極ライン５９ｂのそれぞれのエッジ近くに配置された側面ストッパー６０は、前記グリッパー型共通電極５３にランプ５１の端部を固定させ、前記ランプ５１の側面の動きを最小化する。
【００３６】
図示したように、側面ストッパー６０の下部は前記拘束部５８に向けて突出し、上部は前記拘束部５８からフレアリング形態に伸張する。
【００３７】
図６で、アーク型柔軟手段は一つ又は二つ(図示されている)、それ以上のスロットによって分離することができる。前記アーク型柔軟手段の複数の凹部及びフレアリング部は、前記ランプ５１と接触を最小化し、電気的な連続性／伝導性を向上させるように設計されることができる。前記ファスニング手段のグリッパー型の拘束部５８は、可溶性錫及びリード合金などの半田付けをしないで前記ランプ５１と前記共通電極５３とを共に拘束することができる。 
【００３８】
前記第１共通電極５９ａと周辺電極５７の間の電気的な連結は半田付けせずに成すことができる。周辺電極５７は円形又は他の形状を有することができる。図７で、螺旋形のスレッドが刻まれたロッド型のファスナー５５が第１共通電極５９ａを、例えばバイアシング力又は回転動作によって前記周辺電極５７に連結する。ワイヤに図示されたコンダクター５６は、前記ファスナー５５によって第１共通電極５９ａに連結させることができる。
一方、前記ファスナー(スクリュー)５５が締結される所定の部分には複数のホール６１が形成されている。
【００３９】
拡散器はランプ５１上に配置することができる。前記拡散器は、例えばフィルムの一つ又はそれ以上の面にコーティングされた光散乱物質を含むことができ、更に、一つ又はそれ以上の拡散シートを含むことができる。前記フィルム又は拡散シートは、光を集めて散乱させ、液晶表示パネルに光を照射することができる。
【００４０】
複数の光学シートを前記拡散器と液晶表示パネルの間に配置させることができる。前記複数の光学シートは、前記拡散器から漏れた光を集めて実質的な垂直方向に前記光学シートから漏れる光のように光の方向を適用させる。また、前記光学シートは、液晶表示パネルを通過する光の効率を向上させることができる。
【００４１】
本発明のバックライトユニットは、光源の特別な形態やグリッピング手段の機械的な形象を限定しない。例えば、光源としてはエッジ型及び直下型の光源を含むことができる。
又、前記ランプ５１を拘束して支持するために、一部のグリッパー型の共通電極又はグリッパー型電極は幾分のアーク型柔軟手段を使用することができる。
【００４２】
前記アーク型柔軟手段は、前記グリッパー型共の通電極又はグリッパー型の電極の拘束部５８によって合わせられるランプの形象とサイズによって前記回路部とランプの間を分離するように形成することができる。 
【００４３】
上述した前記グリッパー型共通電極の単一のピース構造は、組立部分を減少させ液晶表示装置の組立効率を増加させることができる。前記支持基底部と連結されるグリッパー型の共通電極と共に、一つ又はそれ以上のランプがそれぞれ第１下部器具物５４ａ、 ５４ｂのエッジ部に隣接した前記側面ストッパー６０の間に挿入することができる。 
【００４４】
バイアシング力は、前記ランプ５１の外部電極５０ｂによって円形接触が行われるまで、前記ランプ５１が前記拘束部５８のフレアリング部をパスするようにスライディングすることができる。タッチ感を認知するタクタイルフィードバックがランプ５１の安着を指示することができる。
【００４５】
完全に安着すると、前記グリッパー型共通電極５３の拘束部５８は機械的に前記電極５０ｂの他の部分と連結される。前記拘束部５８は組立及び使用時に起きることのできるランプ及び/又はボードの膨脹及び収縮時に引き起こされた幾つかの関連動作を抵抗する摩擦部として機能する。又、前記拘束部５８は前記電極５０ｂへの伝導パスを増加させてランプの効率を向上させる一方、熱を放熱して吸収する装置として機能する(例えば、熱吸収装置のように)。
【００４６】
図８は本発明の異なる実施例によるバックライトユニットの複数の共通電極の斜視図である。 
図８に示したように、本発明の異なる実施例によるバックライトユニットは、複数の電極６２ａ、６２ｂは複数のそれぞれ離隔した拘束部５８を含む。前記アーク型柔軟手段はランプ５１の両端に位置したそれぞれの電極と電気的に連結され、下部の回路から分離させる拘束部５８を含むことができる。側面ストッパー６０はそれぞれの電極ライン６４Ｂ、６６ｂのエッジ近くに配置され、グリッパー型電極６２ａ、 ６２ｂにランプの先を固定し、ランプ５１の側面の動きを最小化する。
【００４７】
図示したように、前記側面ストッパー６０の下部は前記拘束部５８に向けて突出し、上部は前記拘束部５８からフレアリング形態で伸張する。
図８のように、アーク型柔軟手段は一つ又は二つ(図示されている)、それ以上のスロットによって分離することができる。前記アーク型柔軟手段の複数の凹部及びフレアリング部は、前記ランプ５１との接触を最小化し、電気的な連続性/伝導性を向上させるように設計されることができる。
【００４８】
前記ファスニング手段の前記グリッパー型拘束部５８は、可溶性錫及びリード合金などで半田付けをせずに前記ランプ５１と、前記グリッパー型電極６２ａ、６２ｂとを共に拘束することができる。
【００４９】
前記第１共通電極６４ａ、６４ｂと周辺電極（図６Ａ 、６Ｂの５７参照)間の電気的な連結は半田付けをせずに成すことができる。前記周辺電極５７は、円形又は他の形状を有することができる。螺旋形のスレッドが刻まれたロッド型のファスナー５５が、第１共通電極６４ａ、６４ｂを、例えばバイアシング力又は回転動作によって前記周辺電極５７に連結する。
【００５０】
例えば、ワイヤからなるコンダクター５６は前記ファスナーによって第１共通電極６４ａ、６６ａに連結することができる。一方、前記ファスナーが締結される所定の部分には複数のホール６１が構成されている。
【００５１】
前記複数のグリッパー型電極６２ａ、６２ｂに連結されるランプ５１上には拡散器を配置することができる。前記拡散器は、例えばフィルムの一つ又はそれ以上の面にコーティングされた光散乱物質を含むことができ、又、一つは又はそれ以上の拡散シートを含むことができる。前記フィルム又は拡散シートは、光を集めて散乱させ、液晶表示パネルに光を照射することができる。
【００５２】
複数の光学シートが前記拡散器と液晶表示パネルの間に配置されることができる。前記複数の光学シートは、前記拡散器から漏れた光を集めて実質的な垂直方向に前記光学シートから漏れる光のように光の方向を適用させる。また、前記光学シートは、液晶表示パネルを通過する光の効率を向上させることができる。
【００５３】
上述した本発明の異なる実施例によるバックライトユニットで、複数の共通電極６２ａ、６２ｂのグリッパー型拘束部５８又は共通電極５３は、機械的に或いは電気的に半田付けせずに電圧手段と連結される。除去が可能な組立物を通じた電気的な部分を結合することによるランプ５１の簡単な配置及び挿入は、組立工程と下部組立時間を簡略化する。
【００５４】
以上説明した内容を通じて当業者であれば本発明の技術思想を離脱しない範囲で多様な変更及び修正が可能なことが分かるだろう。
よって、本発明の技術範囲は上記実施例に記載された内容に限定されるものではなく、特許請求の範囲によって定められるべきである。
【図面の簡単な説明】
【００５５】
【図１】従来技術に係るバックライトユニットの斜視図である。
【図２】図１のランプ部分の斜視図である。
【図３】従来の他の技術に係るバックライトユニットの斜視図である。
【図４】図３のランプ部分の斜視図である。
【図５】本発明の実施例に係るバックライトユニットの斜視図である。
【図６ａ】図５の‘Ａ’部分の拡大斜視図である。
【図６ｂ】図５の‘Ｂ’部分の拡大斜視図である。
【図７】本発明の一実施例によるバックライトユニットの共通電極の斜視図である。
【図８】本発明の他の実施例によるバックライトユニットの複数の共通電極の斜視図である。
【符号の説明】
【００５６】
５０ａ、５０ｂ  電極
５１  ランプ
５３  共通電極
５４ａ、５４ｂ  第１、第２下部器具物
５５  ファスナー(スクリュー)
５６  コンダクター(ワイヤ) 
５７   円形電極
５８   締結部
５９ａ、５９ｂ   第１、第２共通電極ライン
６０  側面ストッパー
６１  ホール
【図１】
2005197246.tif 000003
【図２】
2005197246.tif 000004
【図３】
2005197246.tif 000005
【図４】
2005197246.tif 000006
【図５】
2005197246.tif 000007
【図６ａ】
2005197246.tif 000008
【図６ｂ】
2005197246.tif 000009
【図７】
2005197246.tif 000010
【図８】
2005197246.tif 000011